(57)【要約】【課題】従来の電気掃除機として塵埃を排出する際、排出蓋に該排出蓋の開放動作に連動して集塵容器本体内の塵埃を掻き出すための排出促進部材を設けることが提案されているが、排出促進部材がある位置よりも多くの塵埃が溜められた場合には、この塵埃の固まりが排出促進部材の動きを邪魔して、排出蓋を開放することが困難となる。【解決手段】本発明の特徴とするところは、電動送風機を内蔵する掃除機本体と、前記掃除機本体に着脱自在に設けられた集塵ケースとを備えた電気掃除機において、前記集塵ケース内に設けられ、かつ塵埃を収容する塵埃収容手段は含塵空気流の下流側に下流側開口部を有し、含塵空気流の下流側もしくは前記集塵ケースの後方に向かって前記塵埃収容手段が出没する出入開口部を前記集塵ケースに設けたことにある。【選択図】図８
2008178581.tif 000002
【特許請求の範囲】
【請求項１】
電動送風機を内蔵する掃除機本体と、前記掃除機本体に着脱自在に設けられ、含塵空気流が流入する流入口を有する集塵ケースとを備えた電気掃除機において、
前記集塵ケース内に設けられ、かつ塵埃を収容する塵埃収容手段は該塵埃収容手段の下流側に下流側開口部を有し、
前記集塵ケースの下流側もしくは後方に向かって前記塵埃収容手段が出没する出入開口部を前記集塵ケースに設けたことを特徴とする電気掃除機。
【請求項２】
電動送風機を内蔵する掃除機本体と、前側に含塵空気流が流入する流入口、後側に出入開口部が設けられ、かつ前記掃除機本体と着脱する集塵ケースと、前記集塵ケース内に設けられ、吸い込む塵埃を収容する塵埃収容容器としての塵埃収容手段を有し、
前記塵埃収容手段は、後部側が前記塵埃集塵ケースの前記出入開口部より出入するように出没自在に設けられ、かつ前記塵埃収容手段に収容した塵埃を廃棄する塵埃廃棄口としての下流側開口部を有することを特徴とする電気掃除機。
【請求項３】
請求項１または２記載の電気掃除機において、
前記塵埃収容手段は上流側開口部、および下流側開口部を有し、
前記上流側開口部が前記集塵ケースの前記流入口とが連通するように配置され、
前記上流側開口部と前記集塵ケースの流入口との間にはシール部材を介在したことを特徴とする電気掃除機。
【請求項４】
請求項１または２記載の電気掃除機において、
前記下流側開口部の下流には、フィルターを配置したことを特徴とする電気掃除機。
【請求項５】
請求項４において、
前記フィルターの上流側で、かつ前記塵埃収容手段の内部に集塵した塵埃共廃棄する使い捨て式のフィルターを配置したことを特徴とする電気掃除機。
【請求項６】
請求項４において、
前記フィルターは、第１フィルターと、前記第１フィルターの下流側に位置し、第１フィルターより目開の小さな第２フィルターを有することを特徴とする電気掃除機。
【請求項７】
請求項１または２記載の電気掃除機において、
前記塵埃収容手段は、前記下流側開口部に向かって延在する分割面を有し、
前記集塵ケースの出入開口部の脱出にともない前記塵埃収容手段は前記下流側開口部が拡大するように前記分割面での分割が行なわれることを特徴とする電気掃除機。
【請求項８】
請求項１または２記載の電気掃除機において、
前記塵埃収容手段は、第１部材、第２部材、および後側に位置し、前記下流側開口部を開け閉めする第３部材と、前記第１部材、および前記第２部材の前側を回動自在に連結支持する第１回動軸と有し、
前記第３部材は、前記第１回動軸とは別に設けた第２回動軸を介して開け閉めされるように回動自在に支持されていることを特徴とする電気掃除機。
【請求項９】
請求項８記載の電気掃除機において、
前記第１回動軸を前記塵埃収容手段の前側に設け、前記第２回動軸を前記塵埃収容手段の後側に設けたことを特徴とする電気掃除機。
【請求項１０】
請求項１または２記載の電気掃除機において、
前記塵埃収容手段は含塵空気流の流れ方向に対する断面積が上流側から下流側に向って拡大することを特徴とする電気掃除機。
【請求項１１】
請求項１または２記載の電気掃除機において、
前記塵埃収容手段は前記集塵ケースに回動軸を介して回動可能に設けられ、
前記回動軸が前記集塵ケースに対し前後にスライド可能に設けられていることを特徴とする電気掃除機。
【請求項１２】
請求項６記載の電気掃除機において、
前記第２フィルターを除塵する除塵手段を設け、
前記集塵ケースの下部には除塵された塵埃を収容する空間を設け、
前記空間の開口部は開閉自在な前記第２フィルターによって覆われていることを特徴とする電気掃除機。
【発明の詳細な説明】
【技術分野】
【０００１】
本発明は、掃除機本体に設けた集塵ケースで含塵空気流から塵埃を分離し、集塵ケースに集塵された塵埃の排出を容易にできる電気掃除機に関するものである。
【背景技術】
【０００２】
集塵ケースに集塵された塵埃の排出を容易にするための電気掃除機は、例えば、特開２００３−１９０９４号公報（特許文献１）に記載されている。
【０００３】
特許文献１に示される電気掃除機は、掃除機の本体ケースに着脱自在なる集塵容器を備え、集塵容器には上部にフィルターを、下部に開閉自在なる底蓋を備えている。集塵容器が集塵した塵埃で一杯になったらゴミ捨てをする。
【０００４】
ゴミ捨ては、本体ケースから集塵容器を外し、集塵容器の底側にごみ入れを位置させ、底蓋を開くことにより、集塵容器の塵埃がごみ入れに廃棄される構成である。
【０００５】
また、例えば、特開２００５−１５２３８０号公報（特許文献２）にも記載されている。
【０００６】
特許文献２に示されている電気掃除機は、掃除機の本体ケースに着脱自在なる集塵容器を備え、集塵容器は、容器本体と容器本体の開放部を開閉すべく容器本体に設けられた排出蓋とを有し、排出蓋には、排出蓋の開放動作に連動して容器本体内の塵埃を掻き出すための排出促進板が設けられている。
【０００７】
集塵容器を取り外して排出蓋を開けると、排出促進板が集塵容器の底部に溜められた塵埃を掻き出す構成である。
【０００８】
【特許文献１】特開２００３−１９０９４号公報
【特許文献２】特開２００５−１５２３８０号公報
【発明の開示】
【発明が解決しようとする課題】
【０００９】
集塵ケース内に溜められた塵埃は、電動送風機に所定の吸引力を発揮させ続けるために掃除終了後あるいは定期的に捨てる必要があり、このときには塵埃に触れることなく簡単に容器本体から捨てることが衛生上、望ましい。
【００１０】
電気掃除機を運転している間は集塵容器を通過する空気流により、綿ゴミなどの軽くてフワフワした繊維塵は圧縮された固まりとなり易い。
【００１１】
しかしながら、電気掃除機の運転を停止すると空気流による圧縮力が無くなり、圧縮された塵埃の固まりが広がり、塵埃の固まりの体積が大きくなる。
【００１２】
このため、特許文献１に記載の発明では、集塵容器本体の排出蓋が開けられても塵埃の固まりが容器本体の内部に引っ掛り塵埃が落ちてこないことがある。
【００１３】
この場合、集塵容器本体の内部に引っ掛った塵埃を手または棒等で掻き出す必要があり、衛生的な作業はとは言えず好ましいことではない。
【００１４】
また、特許文献１の課題を解決するために、特許文献２に記載の発明のように排出蓋に該排出蓋の開放動作に連動して集塵容器本体内の塵埃を掻き出すための排出促進部材を設けることが提案されているが、排出促進部材がある位置よりも多くの塵埃が溜められた場合には、この塵埃の固まりが排出促進部材の動きを邪魔して、排出蓋を開放することが困難となる。
【００１５】
この結果、塵埃の排出が困難となる。また、排出促進部材と集塵容器の隙間に塵埃が入り込んだ場合も、排出促進部材を動かすことが困難となるので、排出蓋を開放することが困難となる。
【００１６】
さらに、特許文献２の図６に示されているように、排出蓋を開いた場合には排出促進部材が塵埃を排出する開口部を塞ぐ形となるので、排出促進部材より上にあった塵埃が排出促進部材の上に載り、使用者が排出促進部材の上に載った塵埃を掻き出さなければならず、衛生的に好ましくないといった問題があった。
【００１７】
加えて、排出促進部材の上に載った塵埃を掻き出さずに排出蓋を閉じようとすると、排出促進部材と集塵容器とに挟まれた塵埃が邪魔をして排出蓋を閉じることができないといった問題があった。
【００１８】
本発明の目的は、上記問題を解決するためになされたものであり、集塵した塵埃を容易にかつ衛生的に排出できる電気掃除機を提供することにある。
【課題を解決するための手段】
【００１９】
上記目的を達成するために本発明の特徴とするところは、電動送風機を内蔵する掃除機本体と、前記掃除機本体に着脱自在に設けられた集塵ケースとを備えた電気掃除機において、前記集塵ケース内に設けられ、かつ塵埃を収容する塵埃収容手段はその下流側に下流側開口部を有し、前記集塵ケースの下流側もしくは後方に向かって前記塵埃収容手段が出没する出入開口部を前記集塵ケースに設けたことにある。
【発明の効果】
【００２０】
本発明によれば、集塵ケース内の塵埃を容易にかつ衛生的に排出できる電気掃除機を提供することができる。
【発明を実施するための最良の形態】
【００２１】
本発明の実施例について、以下に説明する。
【実施例１】
【００２２】
本発明の実施の形態例について、図面を引用して説明する。
【００２３】
まず、図１から図４に沿って電気掃除機の概要から説明する。
【００２４】
図１は、本発明の実施例１の形態例を示す電気掃除機の外観斜視図である。図２は、この掃除機本体の上蓋を開いた状態を示す斜視図である。図３は、この掃除機本体の上蓋を開いて、集塵ケースを取り外した状態を示す斜視図である。
【００２５】
図３は、この掃除機本体の上蓋を開いて、集塵ケース５を取り外した状態を示す斜視図である。図４は、本発明の実施例１の形態例を示す集塵ケース５の外観斜視図である。
【００２６】
この実施の形態における電気掃除機１は、図１と図２に示すように、掃除機本体２とホース１２と手元操作管１３と伸縮継手管１４と吸口１５を備え、掃除機本体２と手元操作管１３をホース１２で接続し、この手元操作管１３に伸縮継ぎ手管１４を介して吸口１５を接続して使用する。
【００２７】
なお、ホース１２は接続部１２ａを掃除機本体２のホース接続口部１０に取り付けている。
【００２８】
掃除機本体２は、電動送風機（図示せず）とコードリール（図示せず）とを内蔵する。前記電動送風機を駆動した際の吸気力により、吸口１５から含塵空気を吸い込み、吸い込んだ含塵空気を伸縮継ぎ手管１４と手元操作管１３とホース１２を介して掃除機本体２に吸い込ませ、集塵ケース５で塵埃を捕集（集塵）した後に空気を機外に排気する。
【００２９】
なお、前記電気掃除機１の運転モードの切り替えは手元操作管１３に設けたスイッチ１６により行なえる。
【００３０】
掃除機本体２は、図２から図３に示すように、下本体ケース３と上蓋８の間に配置した上本体ケース４の凹部に形成した集塵ケース収納部９に、集塵ケース５を着脱可能に装着している。
【００３１】
なお、上蓋８は、上本体ケース４の上側後部に転回可能に取り付けている。集塵ケース５の出し入れは図２に示すように上蓋８を開いて行い、電気掃除機１を運転中には、上蓋８は閉じられている。
【００３２】
また、下本体ケース３と上本体ケース４の間にフィルターケース１７を設け、このフィルターケース１７に、保護フィルター１８と、この保護フィルター１８を抑えるフィルターカバー１９とを配置している。
【００３３】
さらに、フィルターケース１７の上側には除塵ユニット７を配置している。除塵ユニット７に設けた除塵回転体２４が回転して、後述するプリーツ状に成形されたフィルター部２１を弾いて、このフィルター部２１に堆積した塵埃を除塵する。
【００３４】
また、下本体ケース３は、この掃除機本体２を床面に走行させるための走行車輪１１と案内車輪（図示せず）を備えている。さらに、上本体ケース４の上部にはハンドル６が転回可能に取り付けられており、掃除機本体２を持ち運ぶ事ができる。
【００３５】
集塵ケース５に設けた流入口３０とホース接続口部１０に差し込んだホース１２の接続部１２ａとが、弾性体シール部材１０ａを介して気密状態に当接している。
【００３６】
ここで、集塵ケース５を掃除機本体２に装着した際に、後述するフィルター部２１と一体となった弾性体シール部材６２により、集塵ケース５とフィルターケース１７の気密が取れるようにしている。
【００３７】
さらに、このフィルターケース１７と、電動送風機（図示せず）が弾性体の防振ゴム（図示せず）を介して気密状態に当接している。
【００３８】
次に、掃除機本体２内部の配置について説明する。
【００３９】
ホース接続口部１０は上方から見て掃除機本体２の幅方向の中央にあり、かつ、前記掃除機本体２の前面に配置している。集塵ケース５の流入口３０も同様に集塵ケース５の幅方向の中央にあり、かつ、前記集塵ケース５の前面に配置している。
【００４０】
このように配置したことで、集塵ケース５の入口部分に曲りなどを設ける必要が無いため、通気損失を小さくできる効果が得られる。
【００４１】
また、集塵ケース５には空気取り入れ口である流入口３０が、この集塵ケース５の高さ方向の中央より下部に設けられているので、流入口３０に連通するホース接続口部１０も、掃除機本体２の高さ方向の中央より下部に配置することができる。
【００４２】
このため、前記ホース接続口部１０は、掃除機本体２の下部に配置することができるので、使用者が手元操作管１３を持ってホース１２を介して前記掃除機本体２を引き回した場合、前記掃除機本体２が転倒しにくく安定して引き回す事ができる。
【００４３】
次に図４から図９を参照して集塵ケース５について説明する。
【００４４】
図４は、本発明の一実施の形態例を示す集塵ケースの外観斜視図である。図５は、本発明の一実施の形態例を示す集塵ケースの側面図である。図６は、図５のＡ−Ａ断面図である。
【００４５】
図７は、図５の縦断面図である。図８は、集塵ケースから塵埃収容手段が突出した際の縦断面図である。図９は、一実施の形態例を示す集塵ケースを背面から示した外観斜視図である。
【００４６】
集塵ケース５は図６と図７に示すように、内部に塵埃を捕集するとともにこの塵埃を収容するための塵埃収容手段２０（移動部材）を備え、この塵埃収容手段２０は集塵ケース５の開口部２５（出入開口部）から突出し可能に設けられている。
【００４７】
この塵埃収容手段２０は、一部が集塵ケース５の開口部２５（出入開口部）から突出した状態においては他の部分が集塵ケース５内に位置している。
【００４８】
なお、塵埃収容手段２０を構成する塵埃収容部片２０Ａ、２０Ｂ、２０Ｃの内、塵埃収容部片２０Ｃに、あるいは全ての塵埃収容部片２０Ａ、２０Ｂ、２０Ｃにフィルタを配置しているので、この塵埃収容手段２０は、空気と塵埃とを分離する第１のフィルターとしての機能を有する。
【００４９】
集塵ケース５の後側には、波形のプリーツ加工されたフィルターを有するフィルター部２１が備わる。このフィルター部２１は、第２のフィルターとして機能し、図７および図８に示すように、集塵ケース５に対して開閉自在に設けられる。
【００５０】
フィルター部２１の下部は集塵ケース５の下部に蝶番２３（第２回動軸）により回動自在に支持され、上部は集塵ケース５の上部に設けたフック２２に係合部４８を係止されている。
【００５１】
フック２２を操作する操作ボタン３２を押すことにより、このフック２２と係合部４８の係止が外されると、フィルター部２１は下部の蝶番２３（第２回動軸）を支点として開かれる。
【００５２】
つまり、集塵ケース５は、後側に塵埃収容手段２０が出没する開口部２５（出入開口部）を有し、集塵ケース５の後側に回動自在に設けられたフィルター部２１が、開口部２５（出入開口部）を開閉する開閉蓋として作用する。
【００５３】
塵埃収容手段２０は、第１フィルターとして大きめの粗塵を濾過捕集する。細かな微細塵は、塵埃収容手段２０を通過して集塵ケース５の第２フィルターであるフィルター部２１で濾過捕集される。
【００５４】
つまり、第１フィルターの目開よりも第２フィルターの目開を小さくしている。なお、目開きとは、網フィルターとか金網の目の大きさ（糸と糸の間の隙間の大きさ）や、金属板とか、プラスチックの板とかに設けた微小な穴の大きさとか、不織布などを用いたフィルターの平均孔径とする。
【００５５】
除塵ユニット７は、図３に示すように除塵回転体２４を有する。この除塵回転体２４は、コードリール（図示せず）に巻装された電源コード（図示せず）の巻き解きに伴なって回転作動し、フィルター部２１に設けた補強部３３を弾いて振動させて、フィルター部２１で捕集された微細な塵埃をフィルター部２１から除塵する。
【００５６】
このフィルター部２１から除塵された微細な塵埃は下方に落下し、図７に示す集塵ケース５の下部に設けたポケット５１に溜められる。
【００５７】
なお、このポケット５１は電気掃除機の運転により集塵ケース５内を空気流が通過する際に、除塵された微細な塵埃が再飛散して、フィルター部２１に再付着するのを防ぐように構成されている。
【００５８】
ポケット５１に溜められた微細な塵埃は、集塵ケース５からフィルター部２１を回動して集塵ケース５の後方に設けた開口部２５（出入開口部）を開放した際に廃棄すると良い。
【００５９】
この際、フィルター部２１に付着して残った塵埃の除塵は、刷毛が付いたブラシでブラッシングしたり、水洗いにより行なえばよい。また、フィルター部２１で捕集される塵埃は大部分が微細な塵埃である。
【００６０】
このため、フィルター部２１の波形のプリーツに設けた補強部３３を弾けば、微細な塵埃の除塵を行い易いという特長も有する。
【００６１】
集塵ケース５は前側に、塵埃を含んだ含塵空気が流入する流入口３０を有する。この流入口３０を通過した含塵空気は塵埃収容手段２０に流入する。
【００６２】
塵埃収容手段２０は流入口３０側（前側）に開口した流入部３５（上流側開口部）を有し、奥側と上下左右側面にフィルター部材７１を設けた容器状に形成されており、空気と塵埃とを分離する第１のフィルターとしての機能を果たす。
【００６３】
つまり、塵埃収容手段２０は空気の流れからに見て上流側に開口である流入部３５（上流側開口部）を有し、下流側にフィルター部材７１を配置している。
【００６４】
そして、塵埃収容手段２０の開口部である流入部３５（上流側開口部）は、逆止弁３１と一体に構成した弾性体シール部材３１ａを介して流入口３０と連通して、流入口３０から流入した塵埃を塵埃収容手段２０で受け入れるようにしている。
【００６５】
なお、逆止弁３１は、流入口３０から塵埃収容手段２０に溜った塵埃が逆流したり、吸引した塵埃が集塵ケース５からこぼれるのを防ぐように機能する。
【００６６】
塵埃収容手段２０はフィルター部２１を開いたときに、集塵ケース５の下流側（後側）であるフィルター部２１側に向かって突出するようにしている。
【００６７】
このとき、塵埃収容手段２０を構成する奥側（下流側）に設けた塵埃収容部片２０Ｃが開き、塵埃収容手段２０内に収容した塵埃を廃棄する塵埃廃棄口４９（下流側開口部）が開く。
【００６８】
すなわち、第１フィルターとしての塵埃収容手段２０は、集塵ケース５の開口部２５（出入開口部）から突出可能に設けられ、開口部２５（出入開口部）から突出した際に塵埃廃棄口４９（下流側開口部）が開口し、第１フィルターである塵埃収容手段２０で空気流によって空気の流れ方向に付勢して捕集した塵埃を、空気の流れ方向に対して押出すように排出する。
【００６９】
空気の流れ方向に下流側に向かって押し出すように塵埃を排出するため、塵埃収容手段２０が集塵ケース５の開口部２５（出入開口部）から突出する際の動作を阻害することがなく、塵埃収容手段２０に収容した塵埃の廃棄を容易に行うことができる。
【００７０】
ここで、図６や図７に示すように、塵埃収容手段２０は二つの塵埃収容部片２０Ａ、２０Ｂが合わさっている状態において、塵埃収容手段２０は流入部３５（上流側開口部）から下流側の塵埃収容部片２０Ｃへ向かって、つまり、空気の流れから見て上流側から下流側に向かって、拡がる形状である。
【００７１】
つまり、図５の断面Ａ−Ａを示す線の左から右方向に向かって、塵埃収容手段２０内の断面積が増加しており塵埃収容手段２０は、塵埃廃棄口４９（下流側開口部）に向かって拡がっている。
【００７２】
また、第１フィルターである塵埃収容手段２０で捕集された塵埃は、空気流によって空気の流れ方向である塵埃廃棄口４９（下流側開口部）側へ付勢して捕集される。
【００７３】
よって、この塵埃収容手段２０で捕集された塵埃を廃棄する際には、塵埃廃棄口４９（下流側開口部）側から容易に排出することができる。
【００７４】
集塵ケース５の上部には、前後に延びるハンドル２８を設けている。
【００７５】
このハンドル２８の先にフィルター部２１を閉じた状態に拘束する手段としてフック２２を備えている。
【００７６】
このフック２２がフィルター部２１に設けた係合部４８を係止し、フィルター部２１は集塵ケース５の開口部２５（出入開口部）やポケット５１を閉じるように拘束されている。
【００７７】
操作ボタン３２を押すと、フック２２が移動して係合部４８との係止が解かれ、フィルター部２１は後側に倒れるように開放される。
【００７８】
なお、フィルター部２１を閉じれば、フィルター部２１が塵埃収容手段２０の塵埃収容部片２０Ｃを押して塵埃収容手段２０の塵埃廃棄口４９（下流側開口部）を閉じるとともに、集塵ケース５内の所定の位置に塵埃収容手段２０を収納し、フック２２がフィルター部２１の係合部４８を係止してフィルター部２１を拘束するとともに、このフィルター部２１により塵埃収容手段２０も係止する。
【００７９】
つまり、フック２２を開放させるために操作ボタン３２を押す一つの動作で、フィルター部２１と塵埃収容手段２０の両方を開放でき、フィルター部２１を閉じる一つの動作で、フィルター部２１と塵埃収容手段２０を所定の位置に係止できる特長を備える。
【００８０】
また、フィルター部２１と塵埃収容手段２０の両方を開放した際に、塵埃収容手段２０に溜めた塵埃と、フィルター部２１に溜めた塵埃と、フィルター部２１から除塵してポケット５１に溜めた塵埃を一度に廃棄することが可能である。
【００８１】
塵埃収容手段２０は、上下に分割される少なくとも２つの塵埃収容部片２０Ａ、２０Ｂと下流側（後側）の塵埃収容部片２０Ｃを有する。塵埃収容手段２０の分割面は塵埃廃棄口４９（下流側開口部）に向かって延在している。
【００８２】
塵埃収容手段２０は左右と下流側（後側）に分割することも可能であるが、ここでは上下と下流側に分割された３つの塵埃収容部片２０Ａ、２０Ｂ、２０Ｃに沿って説明する。
【００８３】
上側の塵埃収容部片２０Ａと、下側の塵埃収容部片２０Ｂとが上下に合さり、これらの後側に蓋をするように塵埃収容部片２０Ｃが合さり、塵埃収容手段２０が形成される。
【００８４】
塵埃を廃棄する塵埃廃棄口４９（下流側開口部）は、塵埃収容手段２０の後側に設けられ、塵埃収容部片２０Ｃが開くと開口される。塵埃収容手段２０の下流側（後側）には蝶番２７が設けられ、下側の塵埃収容部片２０Ｂはこの蝶番２７で集塵ケース５と回動自在に連結支持される。
【００８５】
このため、塵埃収容手段２０は、集塵ケース５の開口部２５（出入開口部）から突出したり、集塵ケース５内に収容されたりする。
【００８６】
蝶番２７で集塵ケース５から回動自在に連結支持された下側の塵埃収容部片２０Ｂは、塵埃収容手段２０の上流側（前側）は第１回動軸である蝶番４１（第１回動軸）で上側の塵埃収容部片２０Ａと回動自在に連結支持されているので、二つの塵埃収容部片２０Ａ、２０Ｂは、塵埃廃棄口４９（下流側開口部）を拡げたり、狭めたりすることができる。
【００８７】
なお、塵埃廃棄口４９（下流側開口部）を広げるために蝶番４１（第１回動軸）はバネ（図示せず）を用いて付勢してもかまわない。このバネには、つるまきバネや板バネが用いられる。
【００８８】
また、鋼線をロの字型に曲げ、塵埃収容手段２０を構成する塵埃収容部片２０Ａと塵埃収容部片２０Ｂに引っ掛けて、開放するように付勢してもよい。
【００８９】
塵埃収容部片２０Ｃは図７に示すように、集塵ケース５と第２回動軸である蝶番４６により連結支持してもいる。
【００９０】
塵埃収容部片２０Ｃが蝶番４６により集塵ケース５と連結支持された場合、フィルター部２１と塵埃収容手段２０を所定の位置に係止した際に、塵埃収容部片２０Ｃの一部は集塵ケース５内に収まり、一部は集塵ケース５の外に出る。
【００９１】
なお、フィルター部２１を開閉自在に支持する蝶番２３（第２回動軸）を集塵ケース５の外周部に配し、塵埃収容手段２０を突出し自在に支持するために塵埃収容部片２０Ｂに設けた蝶番２７を前記集塵ケース５の内部に設けている。
【００９２】
この際には、塵埃収容部片２０Ｃに設けた弾性体シール部材６３により、集塵ケース５と塵埃収容部片２０Ｃの気密を取り、フィルター部２１に設けた弾性体シール部材６２により、塵埃収容部片２０Ｃとフィルター部２１の気密を取ることができる。
【００９３】
これらの弾性体シール部材６２、６３が、塵埃収容部片２０Ｂに設けて回動支持する蝶番２７、フィルター部２１を回動支持する蝶番２３（第２回動軸）、塵埃収容部片２０Ｃを回動支持する蝶番４６をまたぐ必要がないので、集塵ケース５と塵埃収容部片２０Ｃ間、および塵埃収容部片２０Ｃとフィルター部２１間の気密を取る際は、集塵ケース５の当接部と弾性体シール６３、および塵埃収容部片２０Ｃの当接部と弾性体シール６２がそれぞれ同一平面上に構成されるので、気密をとり易い。
【００９４】
また、個々のシール間の当接箇所を同一平面上に構成でき、しかもこれらの当接面を平行にできるので、フィルター部２１を集塵ケース５側へ付勢する方向のみの力をフィルター部２１と集塵ケース５間に与えればよく、空気の漏れを起こし難い構造にすることができるので、吸込仕事率の低下やゴミのこぼれを防ぐことができる。
【００９５】
下側の塵埃収容部片２０Ｂは塵埃廃棄口４９（下流側開口部）の端部側の塵埃収容部片２０Ｂ下部に、蝶番２７にて回動自在に支持される。
【００９６】
なお、この蝶番２７は集塵ケース５内部で、開口部２５（出入開口部）付近に位置する。この蝶番２７とフィルター部２１の回動軸である蝶番２３（第２回動軸）は、集塵ケース５の後側に位置し、かつ近傍に設けられる。
【００９７】
また、蝶番４６と蝶番２３（第２回動軸）を同一の軸にすることも可能で、フィルター部２１を閉じて塵埃収容部片２０Ｃを押し、塵埃収容手段２０を集塵ケース５内の所定の位置に収容する動作は、同一回転方向であるので、円滑に行なうことができる。
【００９８】
このため、フィルター部２１と塵埃収容部片２０Ｃの開閉作動は、一緒に揃って円滑に行なわれる。
【００９９】
また、フィルター部２１を開いたときに蝶番２７が集塵ケース５の下流側（後側）へスライドするように構成すると、塵埃収容手段２０が集塵ケース５の開口部２５（出入開口部）の外側に出やすいので、塵埃の廃棄がより行ない易くすることが可能である。
【０１００】
また、吸引空気流により塵埃収容手段２０内にたまった塵埃が、塵埃収容手段２０を下流側に押すが、フィルター部２１が塵埃収容部片２０Ｃに設けたリブ４７を上流側へ押さえるように付勢しておけば、塵埃収容部片２０Ａと２０Ｂと２０Ｃの間から塵埃がこぼれるの防ぐことができる。
【０１０１】
また、フィルター部２１が塵埃収容部片２０Ｃに設けたリブ４７を上流側へ押さえるように付勢しているので、塵埃収容手段２０が上流側に付勢されて、逆止弁３１に設けた弾性体シール部材３１ａに付勢されるので、塵埃収容手段２０の流入部３５（上流側開口部）から塵埃がこぼれるのも防ぐことができ、フィルター部２１へ大きめの粗塵が付着するのも防ぐことができる。
【０１０２】
また、塵埃収容手段２０で捕集され収容される塵埃は流入口３０を通じて、塵埃収容手段２０の流入部３５（上流側開口部）からの流れが直接当たり易い塵埃収容部片２０Ｃに設けたフィルター部材７２付近から、堆積していく。
【０１０３】
ここで、塵埃収容手段２０に流入した空気流は該塵埃収容手段２０内で渦流を生じているので、この渦流により塵埃収容手段２０のうち流入部３５（上流側開口部）に近い塵埃収容部片２０Ａ、２０Ｂに設けたフィルター部材７１を通過する空気流も生じ、フィルター部材７１とフィルター部材７２の全体を覆うように塵埃が堆積していく。
【０１０４】
集塵ケース５の内壁と塵埃収容手段２０の外壁の間には、塵埃収容手段２０のフィルター部材７１とフィルター部材７２を通過した空気流が通過する流路３８を設けている。この流路３８の上流は流入口３０付近まであるので、塵埃収容手段２０内に塵埃を吸い込んでも通気損失の上昇を低くすることができ、電気掃除機１の吸引力の低下を抑制することができるという特長も備える。
【０１０５】
以上の構成のため、塵埃収容手段２０内に塵埃が堆積した場合でも、フィルター部材７１とフィルター部材７２とを通過する風量の低下を抑えることができる。
【０１０６】
また、空気流は第１フィルターを構成するフィルター部材７１とフィルター部材７２を通過して整流された後にフィルター部２１へ流入するので、フィルター部２１へ流入する空気流は局所的に速い部分の出現を防げるので、このフィルター部２１を通過する際の通気損失の上昇を抑えることができる。
【０１０７】
さらに、このフィルター部２１へ流入する空気流の分布に、局所的に速い部分の出現を防げるので、フィルター部２１で捕集されずに吹き抜ける塵埃量を少なくすることが可能となる。
【０１０８】
この結果、集塵ケース５の塵埃の捕集効率を向上することができ、掃除機本体からの排気を清浄化できるとともに、電動送風機へ微細な塵埃が流入することも抑制でき、電動送風機の電動機部の故障を抑制することができる。
【０１０９】
塵埃収容手段２０は外郭形状を保つ支骨７３と、この支骨７３に張られたフィルター部材７１、フィルター部材７２とを有する。
【０１１０】
なお、フィルター部材７１、フィルター部材７２は、外郭形状を保つ支骨７３よりも塵埃収容手段２０の内側（上流側）になるように配すると、塵埃収容手段２０からの塵剥離性が良く好ましい。
【０１１１】
これらのフィルター部材７１、フィルター部材７２は、メッシュ状の網フィルターとか、金網とか、微小な穴を有する金属板とか、微小な穴を有するプラスチックの板などで構成されているので、フィルター部材７１、フィルター部材７２は粗塵を濾過捕集する。
【０１１２】
なお、塵離れを良くするためにフィルター部材７１、フィルター部材７２にステンレス等の金属を用いたり、ポリエステルにステンレス等の金属粒子をスパッタリング処理したものを用いると良い。
【０１１３】
なお、一番奥側の部分は吸込んだ塵埃が直接当り易いので、流入口３０からの流れが直接当たり易いフィルター部材７２が尖ったもので穴があかないように、この部分のフィルター部材７２にステンレス等の金属で構成された網や、微小な穴を有する金属板を用いるとなお良い。
【０１１４】
なお、塵埃収容手段２０で捕集された綿ゴミなどの軽くてフワフワした繊維塵は、塵埃収容手段２０を通過する空気流により、圧縮された固まりとなり易い。
【０１１５】
電気掃除機１を運転中にはこの塵埃収容手段２０内で圧縮されて固まりとなった繊維塵により、塵埃収容手段２０は電動送風機（図示せず）側であるフィルター部２１側へ押される。
【０１１６】
支骨７３や、リブ４７は塵埃収容手段２０の強度を増すので、塵埃収容手段２０の変形を押さえることができ、塵埃収容手段２０を構成する塵埃収容部片２０Ａと２０Ｂと２０Ｃの間から塵埃がこぼれるのを防ぐ効果もある。
【０１１７】
塵埃収容手段２０で捕集された綿ゴミなどの軽くてフワフワした繊維塵は、塵埃収容手段２０を通過する空気流により、圧縮された固まりとなり易い。
【０１１８】
また、塵埃収容手段２０内で圧縮されて固まりとなった繊維塵により、塵埃収容手段２０に流入した微細な塵埃の一部も捕集される。
【０１１９】
これらの圧縮された塵埃の固まりは、電気掃除機の運転を停止すると空気流による圧縮力が無くなり、圧縮された塵埃の固まりが拡がり、塵埃の固まりの体積が大きくなる。
【０１２０】
しかし、塵埃収容手段２０は、塵埃廃棄口４９（下流側開口部）に向かって拡がっており、しかも溜った塵埃を捨てる際に、塵埃収容部片２０Ｃが開いて塵埃廃棄口４９（下流側開口部）が開くとともに、残りの二つの塵埃収容部片２０Ａ、２０Ｂが塵埃廃棄口４９（下流側開口部）を拡げるように開放するので、塵埃収容手段２０に収容した圧縮された塵埃の固まりが拡がった場合でも塵埃廃棄口４９（下流側開口部）から容易に排出することができる。
【０１２１】
この際、塵埃収容手段２０から塵埃廃棄口４９（下流側開口部）を通じて排出する際も塵埃は固まり状となって排出されるので、塵埃収容手段２０に設けたフィルター部材７１、およびフィルター部材７２には塵埃の付着や絡み付きが少なく、目詰まりが生じにくい。
【０１２２】
このため、塵埃収容手段２０に溜った塵埃を捨てるだけで、フィルター部材７１、７２の除塵の手間を防ぐことができる。
【０１２３】
また、塵埃収容手段２０内で圧縮されて固まりとなった繊維塵により、塵埃収容手段２０に流入した粉塵などの微細な塵埃の一部も捕集され、繊維塵が微細な粉塵を包んでいるので、塵埃収容手段２０に溜った塵埃を捨てる際に、細塵の舞い上がりが生じず衛生的である。
【０１２４】
なお、塵埃収容手段２０に流入した粉塵などの微細な塵埃の一部も捕集され、繊維塵が微細な粉塵を包んでいるので、微細な塵埃による塵埃収容手段２０に設けたフィルター部材７１、およびフィルター部材７２の目詰まりを生じにくい。
【０１２５】
この結果、電気掃除機を運転した際の風量の低下を抑えることができ、吸引力の低下を抑えることができるので、被掃除面の塵埃を吸引する能力の低下を抑えることができる。
【０１２６】
ここで、集塵ケース５を掃除機本体２に取り付ける前に、フィルター部２１と塵埃収容部片２０Ｃを開けた状態で塵埃収容手段２０の凹部に塵紙等の使い捨ての集塵濾紙を入れた後、フィルター部２１と塵埃収容部片２０Ｃを閉じれば、塵埃収容手段２０はフィルター部２１と塵埃収容部片２０Ｃに押されて集塵ケース５内の所定の位置に配置される。
【０１２７】
このようにした後、集塵ケース５を掃除機本体２に取り付け、電気掃除機１を運転して清掃を行なえば、塵埃収容手段２０内に吸引された塵埃は、フィルター部材７１、フィルター部材７２の上流に配置した塵紙等の使い捨ての集塵濾紙内及び、その上流側に吸引された塵埃の大部分が堆積する。
【０１２８】
この状態で、集塵ケース５を掃除機本体２から取り出して塵埃を廃棄する際について述べる。
【０１２９】
塵埃収容手段２０に吸引された塵埃は、空気流により圧縮された固まりとなり易いので、塵埃収容手段２０の上流で、しかも塵埃収容手段２０に配した塵紙等の使い捨ての集塵濾紙の上流側に堆積する。
【０１３０】
このため、塵埃廃棄口４９（下流側開口部）を通じて塵埃を排出する際もほとんどの塵埃は、塵紙等の使い捨ての集塵濾紙に包まれた固まりとなって排出されるので、細塵の舞い上がりが生じず衛生的である。
【０１３１】
なお、上記において、塵紙等の使い捨ての集塵濾紙の取り付けは、集塵ケース５を掃除機本体２から取り外して行なったが、これに加えて塵埃吸引後に集塵ケース５を掃除機本体２に取り付けた状態で電気掃除機１を運転し、掃除機本体２に接続したホース１２等の先から塵紙等の使い捨ての集塵濾紙を吸込むと、塵埃収容手段２０内に吸引した塵埃を塵紙が上流側と下流側とから包むので、塵埃を廃棄する際により細塵の舞い上がりが生じず衛生的である。
【０１３２】
このように、塵埃収容手段２０のフィルター部材７１、７２の上流側に塵紙等の使い捨ての集塵濾紙を配しておけば、これらのフィルター部材７１、７２に塵埃が付着しにくいとともに、これらのフィルター部材７１、７２の目詰まりを防ぐことができるので、吸引力の低下を防ぐことができる。
【０１３３】
ここで、突出し付勢バネ（図示せず）を下側の塵埃収容部片２０Ｂの後側下部の蝶番２７に設けている。この突出し付勢バネは、下側の塵埃収容部片２０Ｂを集塵ケース５の外側に押し出すように付勢している。
【０１３４】
この突出し付勢バネはつるまきバネや板バネで形成され、一部は下側の塵埃収容部片２０Ｂに係止され、一部は集塵ケース５に係止されている。この突出し付勢バネにより、下側の塵埃収容部片２０Ｂは集塵ケース５から突出す方向の回転力が付与されている。
【０１３５】
また、上側の塵埃収容部片２０Ａは、集塵ケース５の内側面に摺動自在に支持されており、この摺動自在なる支持により、塵埃収容部片２０Ａは滑りながら集塵ケース５を出入するように作動する。
【０１３６】
このように構成しているので、閉じた状態に拘束されているフィルター部２１の係止を解くことにより、フィルター部２１は後側に倒れ、塵埃収容部片２０Ｃが開放されて塵埃廃棄口４９（下流側開口部）が開き、二つの塵埃収容部片２０Ａ、塵埃収容部片２０Ｂが塵埃廃棄口４９（下流側開口部）を拡げるように開放される。
【０１３７】
つまり、突出し付勢バネは塵埃収容部片２０Ｂを集塵ケース５の外側に押し出すように付勢するとともに、塵埃廃棄口４９（下流側開口部）を拡げるように二つの塵埃収容部片２０Ａ、塵埃収容部片２０Ｂを開放させる解放付勢バネの役割を兼ねることも可能である。
【０１３８】
ここで、この塵埃収容手段２０には、突出し付勢バネにより常に集塵ケース５の外側に押し出す力が作用しており、フィルター部２１はその押し出す力に抗して塵埃収容手段２０が突出すのを止めている。
【０１３９】
なお、突出し付勢バネに代えてモータや人の操作力により、塵埃収容手段部を外方に向けて押すような突き出し手段を設けることも可能である。
【０１４０】
脱落防止手段の脱落防止部材４５は、上側の塵埃収容部片２０Ａの外側に設けられる。脱落防止部材４５は、塵埃収容手段２０が集塵ケース５から突出した時に集塵ケース５の上側に内壁面に当接するように構成される。
【０１４１】
脱落防止部材４５が集塵ケース５の上側の内壁面に当接することにより、上側の塵埃収容部片２０Ａは止められる。
【０１４２】
上側の塵埃収容部片２０Ａはそれ以上外側に突出さないので、塵埃収容手段２０を構成する塵埃収容部片２０Ａおよび塵埃収容部片２０Ｂが拡がり、塵埃廃棄口４９（下流側開口部）が拡がっているときは、塵埃収容手段２０は集塵ケース５から脱落しない。
【０１４３】
なお、図示はしないが集塵ケース５の上側の内壁面に凸部を設けて、塵埃収容手段２０が集塵ケース５から突出した時に脱落防止部材４５と衝突するようにしてもかまわない。
【０１４４】
塵埃収容手段２０が突出し付勢バネにより勢いよく集塵ケース５外へ突出し、塵埃収容手段２０に溜まった塵埃は拡がった塵埃廃棄口４９（下流側開口部）から一気に放出される。
【０１４５】
また塵埃収容手段２０が突出し付勢バネにより勢いよく集塵ケース５外へ突出して来たところを脱落防止部材４５で急激に止められるので、この衝撃によりフィルター部材７１、７２に付着した塵埃が剥離しやすく、塵埃収容手段２０から塵埃の放出は更に良く行なわれるとともに、フィルター部材７１、７２の目詰まりを防ぐことができるので、吸引力の低下を防ぐことができる。
【０１４６】
ゴミ捨てを終えた塵埃収容手段２０は、図７に示すように、集塵ケース５内に収められる。この塵埃収容手段２０の押し戻しは、突出し付勢バネに抗して行なわれ、拡大していた塵埃廃棄口４９（下流側開口部）が狭まるようにして、集塵ケース５に収め戻されるのである。
【０１４７】
塵埃収容手段２０の収納は、フィルター部２１を閉じる動作に伴い行なわれる。
【０１４８】
フィルター部２１を回動軸である蝶番２３（第２回動軸）を軸として閉じると、このフィルター部２１に押されて塵埃収容部片２０Ｃが蝶番４６を回動中心として閉じ、この塵埃収容部片２０Ｃが塵埃収容部片２０Ａ、２０Ｂを押して、これら２つの塵埃収容部片２０Ａ、２０Ｂが蝶番４１（第１回動軸）を回動中心として閉じていくとともに、蝶番２７を回動の中心軸として塵埃収容部片２０Ｂが前側へ回転移動して、塵埃収容手段２０が集塵ケース５の所定の位置に収め戻される。
【０１４９】
この際、上側の塵埃収容部片２０Ａの外面側は、集塵ケース５の内壁面に押されて摺合っている。
【０１５０】
このため、上側の塵埃収容部片２０Ａは集塵ケース５内に入って行くにしたがい、下側の塵埃収容部片２０Ｂに近づき、塵埃廃棄口４９（下流側開口部）が狭まり、塵埃収容手段２０は集塵ケース５内に収められる。
【０１５１】
フィルター部２１に設けた蝶番２３（第２回動軸）と、塵埃収容部片２０Ｃに設けた蝶番４６が集塵ケース５に対して同一方向である集塵ケース５の下側に配置しているため、これらの回転方向を同一にできるので、塵埃収容手段２０を集塵ケース５の所定の位置に収容する動作を円滑にできるので、より好ましい。
【０１５２】
このように、塵埃収容手段２０の出し入れはフィルター部２１の開け、閉めにより行なわれるので容易である。また、塵埃収容手段２０に触れずに、塵埃収容手段２０の出し入れをすることができるので、衛生面でも好都合である。
【実施例２】
【０１５３】
次に図１０から図１２を用いて本発明の実施例２の実施形態を説明する。
【０１５４】
図１０は、本発明の実施例２の形態例を示す集塵ケースの外観斜視図である。図１１は、図１０の縦断面図である。図１２は、図１１の集塵ケースから塵埃収容手段が突出した際の縦断面図である。
【０１５５】
なお、本実施の形態例では、実施例１と同一符号のものは同一構造を有し、その説明は省略する。
【０１５６】
図１０、図１１に示すように、集塵ケース５の上部には前後に延びるハンドル２８を設けている。
【０１５７】
このハンドル２８の先にフィルター部２１を閉じた状態に拘束する手段としてフック２２を備えている。
【０１５８】
このフック２２がフィルター部２１に設けた係合部４８を係止し、フィルター部２１は集塵ケース５の開口部２５（出入開口部）やポケット５１を閉じるように拘束されている。
【０１５９】
操作ボタン３２を押すと、フック２２が移動して係合部４８との係止が解かれ、フィルター部２１は後側に倒れるように開放される。
【０１６０】
なお、フィルター部２１を閉じれば、フィルター部２１が塵埃収容手段２０の塵埃収容部片２０Ｃを押して塵埃収容手段２０の塵埃廃棄口４９（下流側開口部）を閉じるとともに、集塵ケース５内の所定の位置に塵埃収容手段２０を収納し、フック２２がフィルター部２１の係合部４８を係止してフィルター部２１を拘束するとともに、このフィルター部２１により塵埃収容手段２０も係止する。
【０１６１】
つまり、フック２２を開放させるために操作ボタン３２を押す一つの動作で、フィルター部２１と塵埃収容手段２０の両方を開放でき、フィルター部２１を閉じる一つの動作で、フィルター部２１と塵埃収容手段２０を所定の位置に係止できる特長を備える。
【０１６２】
また、フィルター部２１と塵埃収容手段２０の両方を開放した際に、塵埃収容手段２０が集塵ケース５から突出して、３つの塵埃収容部片２０Ａ、２０Ｂ、２０Ｃとが開いて塵埃廃棄口４９（下流側開口部）が拡がり、塵埃収容手段２０に溜めた塵埃と、フィルター部２１に溜めた塵埃と、フィルター部２１から除塵してポケット５１に溜めた塵埃を一度に廃棄することが可能である。
【０１６３】
上側の塵埃収容部片２０Ａと、下側の塵埃収容部片２０Ｂとが上下に合さり、これらの後側に蓋をするように塵埃収容部片２０Ｃが合さり、塵埃収容手段２０が形成される。塵埃を廃棄する塵埃廃棄口４９（下流側開口部）は、塵埃収容手段２０の後側に設けられ、塵埃収容部片２０Ｃが開くと開口される。
【０１６４】
塵埃収容手段２０の下流側（後側）には蝶番２７が設けられ、下側の塵埃収容部片２０Ｂはこの蝶番２７で集塵ケース５と回動自在に連結支持される。
【０１６５】
このため、塵埃収容手段２０は、集塵ケース５の開口部２５（出入開口部）から突出したり、集塵ケース５内に収容されたりする。
【０１６６】
蝶番２７で集塵ケース５から回動自在に連結支持された下側の塵埃収容部片２０Ｂは、塵埃収容手段２０の上流側（前側）に、第１回動軸である蝶番４１（第１回動軸）で上側の塵埃収容部片２０Ａと回動自在に連結支持されている。
【０１６７】
二つの塵埃収容部片２０Ａ、２０Ｂは、塵埃廃棄口４９（下流側開口部）を拡げたり、狭めたりすることができる。
【０１６８】
なお、塵埃廃棄口４９（下流側開口部）を広げるために蝶番４１（第１回動軸）はバネ（図示せず）を用いて付勢してもかまわない。
【０１６９】
塵埃収容部片２０Ｃは図１１、図１２に示すように、塵埃収容部片２０Ａの下流側（後側）の上部に設けた第２回動軸である蝶番５２により連結支持している。
【０１７０】
フィルター部２１を開く蝶番２３（第２回動軸）が集塵ケース５の下側に配置され、塵埃収容部片２０Ｃを開く蝶番５２が上側の塵埃収容部片２０Ａの上側に配置されているので、塵埃収容部片２０Ｃの開く回転方向と、フィルター部２１が開く回転方向は反対方向である。
【０１７１】
ここで、フィルター部２１が開いて蝶番５２が開き、塵埃収容手段２０の塵埃廃棄口４９（下流側開口部）が開口したときの角度Ｂを９０度以上に開かないようにしている。
【０１７２】
このため、フィルター部２１を閉じた際にはフィルター部２１が塵埃収容部片２０Ｃを閉じる方向に付勢するので、フィルター部２１を閉じて塵埃収容部片２０Ｃを押し、塵埃収容手段２０を集塵ケース５内の所定の位置に収容できる。
【０１７３】
このため、フィルター部２１と塵埃収容部片２０Ｃの開閉作動は、一緒に揃って円滑に行なわれる。
【０１７４】
塵埃収容部片２０Ｃが蝶番５２により塵埃収容部片２０Ａと連結支持された場合、フィルター部２１と塵埃収容手段２０を所定の位置に係止した際に、塵埃収容部片２０Ｃは集塵ケース５内に収まる。
【０１７５】
なお、フィルター部２１を開閉自在に支持する蝶番２３（第２回動軸）を集塵ケース５の外周部に配し、塵埃収容手段２０を突出し自在に支持するために塵埃収容部片２０Ｂに設けた蝶番２７を前記集塵ケース５の内部に設けている。
【０１７６】
この際には、フィルター部２１に設けた弾性体シール部材６２により、フィルター部２１と集塵ケース５の気密を取ることができる。
【０１７７】
塵埃収容手段２０は集塵ケース５の内部に配置され、これらの弾性体シール部材６２がフィルター部２１を回動支持する蝶番２３（第２回動軸）をまたぐ必要がないので、集塵ケース５とフィルター部２１間の気密を取る際は、集塵ケース５の当接部と弾性体シール６２がそれぞれ同一平面上に構成されるので、気密をとり易い。
【０１７８】
このため、フィルター部２１を集塵ケース５側へ付勢する方向のみの力をフィルター部２１と集塵ケース５間に与えればよく、空気の漏れを起こし難い構造にすることができるので、吸込仕事率の低下やゴミのこぼれを防ぐことができる。
【実施例３】
【０１７９】
次に図１３から図１５を用いて本発明の実施例３の実施形態を説明する。
【０１８０】
図１３は、本発明の実施例３の形態例を示す集塵ケースの外観斜視図である。図１４は、図１３の縦断面図である。図１５は、図１４の集塵ケースから塵埃収容手段が突出した際の縦断面図である。
【０１８１】
なお、本実施の形態例では、実施例１と同一符号のものは同一構造を有し、その説明は省略する。
【０１８２】
図１３に示すように、集塵ケース５の上部には前後に延びるハンドル２８を設けている。
【０１８３】
このハンドル２８の後側端部近傍に、フィルター部２１の回動軸である蝶番５４を備える。
【０１８４】
フィルター部２１は集塵ケース５の開口部２５（出入開口部）やポケット５１を閉じるように拘束されており、このフィルター部２１の係止が解かれると、蝶番５４を回動軸としてフィルター部２１は開放されて集塵ケース５に設けた開口部２５（出入開口部）が開口する。
【０１８５】
図１４に示すようにフィルター部２１が閉じた状態では、上側の塵埃収容部片２０Ａと、下側の塵埃収容部片２０Ｂとが上下に合さり、これらの後側に蓋をするように塵埃収容部片２０Ｃが合さり、塵埃収容手段２０が形成される。
【０１８６】
塵埃を廃棄する塵埃廃棄口４９（下流側開口部）は、塵埃収容手段２０の後側に設けられ、塵埃収容部片２０Ｃが開くと開口される。
【０１８７】
塵埃収容手段２０の下流側（後側）には蝶番２７が設けられ、下側の塵埃収容部片２０Ｂはこの蝶番２７で集塵ケース５と回動自在に連結支持される。
【０１８８】
このため、塵埃収容手段２０は、集塵ケース５の開口部２５（出入開口部）から突出したり、集塵ケース５内に収容されたりする。
【０１８９】
蝶番２７で集塵ケース５から回動自在に連結支持された下側の塵埃収容部片２０Ｂは、塵埃収容手段２０の上流側（前側）に第１回動軸である蝶番４１（第１回動軸）で上側の塵埃収容部片２０Ａと回動自在に連結支持されている。
【０１９０】
二つの塵埃収容部片２０Ａ、２０Ｂは、塵埃廃棄口４９（下流側開口部）を拡げたり、狭めたりすることができる。
【０１９１】
図１５に示すようにフィルター部２１を開放して開くと、フィルター部２１により集塵ケース５の上流側（前側）に付勢されていた塵埃収容手段２０が開放される。
【０１９２】
蝶番２７で集塵ケース５から回動自在に連結支持された下側の塵埃収容部片２０Ｂは、蝶番２７を回動軸として開口部２５（出入開口部）側へ回転する。
【０１９３】
塵埃収容手段２０の上流側（前側）には、第１回動軸である蝶番４１（第１回動軸）で上側の塵埃収容部片２０Ａと下側の塵埃収容部片２０Ｂが回動自在に連結支持されているので、これらの塵埃収容部片２０Ａ、２０Ｂも開くように移動する。
【０１９４】
そして、上側の塵埃収容部片２０Ａの下流側（後側）に第２回動軸である蝶番５３で連結支持された塵埃収容部片２０Ｃも、塵埃収容部片２０Ａから開くように移動する。
【０１９５】
開口２５（出入開口部）を下側に向けるようにしてフィルター部２１を開放すると、塵埃収容部片２０Ｃは塵埃廃棄口４９（下流側開口部）を開くように蝶番５２を回動中心として回転し、塵埃収容部片２０Ｂは塵埃収容手段２０が集塵ケース５から突出すように蝶番２７を回動中心として回転し、塵埃収容部片２０Ａは蝶番４１（第１回動軸）を回動中心として、塵埃廃棄口４９（下流側開口部）を拡げるように回転する。
【０１９６】
このように、塵埃収容手段２０が集塵ケース５から突出して、３つの塵埃収容部片２０Ａ、２０Ｂ、２０Ｃとが開いて塵埃廃棄口４９（下流側開口部）が拡がり、塵埃収容手段２０に溜めた塵埃と、フィルター部２１に溜めた塵埃と、フィルター部２１から除塵してポケット５１に溜めた塵埃を一度に廃棄することが可能である。
【０１９７】
また、これらの蝶番２３（第２回動軸）、蝶番２７、蝶番４１（第１回動軸）と蝶番５３には開放や回転を付勢するバネを設けるとより勢いよく開くので、塵埃が塵埃収容手段２０から剥離し易いのでより好ましい。
【０１９８】
なお、フィルター部２１が開いたときには、ポケット５１からフィルター部２１が遠くなるので、ポケット５１に溜めた塵埃を廃棄しやすい特長も備える。
【０１９９】
ここで、フィルター部２１と塵埃収容部片２０Ｃを閉じる回転方向は同一であるので、フィルター部２１を閉じれば、フィルター部２１が塵埃収容手段２０の塵埃収容部片２０Ｃを押して塵埃収容手段２０の塵埃廃棄口４９（下流側開口部）を閉じるとともに、集塵ケース５内の所定の位置に塵埃収容手段２０を収納し、このフィルター部２１により塵埃収容手段２０が付勢されて係止する。
【０２００】
つまり、フィルター部２１を開放すると、フィルター部２１と塵埃収容手段２０の両方を開放でき、フィルター部２１を閉じる一つの動作で、フィルター部２１と塵埃収容手段２０を所定の位置に係止できる特長を備える。
【０２０１】
塵埃収容部片２０Ｃが蝶番５３により塵埃収容部片２０Ａと連結支持された場合、フィルター部２１と塵埃収容手段２０を所定の位置に係止した際に、塵埃収容部片２０Ｃは集塵ケース５内に収まる。
【０２０２】
なお、フィルター部２１を開閉自在に支持する蝶番５４を集塵ケース５の上部の外周部に配し、塵埃収容手段２０を突出し自在に支持するために塵埃収容部片２０Ｂに設けた蝶番２７を前記集塵ケース５の内部に設けている。
【０２０３】
この際には、フィルター部２１に設けた弾性体シール部材６２により、フィルター部２１と集塵ケース５の気密を取ることができる。
【０２０４】
塵埃収容手段２０は集塵ケース５の内部に配置され、これらの弾性体シール部材６２がフィルター部２１を回動支持する蝶番５４をまたぐ必要がないので、集塵ケース５とフィルター部２１間の気密を取る際は、集塵ケース５の当接部と弾性体シール６２がそれぞれ同一平面上に構成されるので、気密をとり易い。
【０２０５】
このため、フィルター部２１を集塵ケース５側へ付勢する方向のみの力をフィルター部２１と集塵ケース５間に与えればよく、空気の漏れを起こし難い構造にすることができるので、吸込仕事率の低下やゴミのこぼれを防ぐことができる。
【図面の簡単な説明】
【０２０６】
【図１】本発明の実施例１の形態を示す電気掃除機の外観斜視図である。
【図２】本発明の実施例１の形態を示す掃除機本体の上蓋を開いた状態を示す斜視図である。
【図３】本発明の実施例１の形態を示す掃除機本体の上蓋を開いて、集塵ケースを取り外した状態を示す斜視図である。
【図４】本発明の実施例１の形態を示す集塵ケースの外観斜視図である。
【図５】本発明の実施例１の形態を示す集塵ケースの側面図である。
【図６】図５のＡ−Ａ断面図である。
【図７】図５の縦断面図である。
【図８】図５の集塵ケースから塵埃収容手段が突出した際の縦断面図である。
【図９】本発明の実施例１の形態を示す集塵ケースを背面から示した外観斜視図である。
【図１０】本発明の実施例２の形態を示す集塵ケースの外観斜視図である。
【図１１】図１０の縦断面図である。
【図１２】図１１の集塵ケースから塵埃収容手段が突出した際の縦断面図である。
【図１３】本発明の実施例３の形態例を示す集塵ケースの外観斜視図である。
【図１４】図１３の縦断面図である。
【図１５】図１４の集塵ケースから塵埃収容手段が突出した際の縦断面図である。
【符号の説明】
【０２０７】
５…集塵ケース、２０…塵埃収容手段、２０Ａ…塵埃収容部片、２０Ｂ…塵埃捕集部片、２０Ｃ…塵埃捕集部片、２１…フィルター部（第２フィルター）、２３…蝶番（第２回動軸）、２５…開口部（出入開口部）、２７…蝶番、３８…流路、４１…蝶番（第１回動軸）、４６…蝶番、４９…塵埃廃棄口（下流側開口部）、５２…蝶番、５３…蝶番、５４…蝶番、７１…フィルター部材（第１フィルター）、７２…フィルター部材（第１フィルター）。
【図１】
2008178581.tif 000003
【図２】
2008178581.tif 000004
【図３】
2008178581.tif 000005
【図４】
2008178581.tif 000006
【図５】
2008178581.tif 000007
【図６】
2008178581.tif 000008
【図７】
2008178581.tif 000009
【図８】
2008178581.tif 000010
【図９】
2008178581.tif 000011
【図１０】
2008178581.tif 000012
【図１１】
2008178581.tif 000013
【図１２】
2008178581.tif 000014
【図１３】
2008178581.tif 000015
【図１４】
2008178581.tif 000016
【図１５】
2008178581.tif 000017